(57)【特許請求の範囲】
【請求項１】
画像形成装置と周辺機器とを備える画像形成システムであって、
前記画像形成装置は、
外部から供給される電力の少なくとも電圧を変換する第１電源部の一次側及び二次側のいずれかの側の電圧を検出し、検出した電圧値である第１電圧値を出力する第１電圧検出部と、
前記第１電源部の前記いずれかの側の電流を検出し、検出した電流値である第１電流値を出力する第１電流検出部と、を備え、
前記周辺機器は、
外部から供給される電力の少なくとも電圧を変換する第２電源部の一次側及び二次側のいずれかの側の電圧を検出し、検出した電圧値である第２電圧値を出力する第２電圧検出部と、
前記第２電源部の前記いずれかの側の電流を検出し、検出した電流値である第２電流値を出力する第２電流検出部と、を備え、
前記画像形成システムは、
ジョブが開始してから、当該ジョブにより生成された全ての印刷物の排紙が完了した旨の通知を前記周辺機器から受け付けるまでの間、前記画像形成システムで前記ジョブを処理するのに要する総電力値を、前記第１電圧値、前記第１電流値、前記第２電圧値、及び前記第２電流値に基づいて算出する第１制御部を更に備えることを特徴とする画像形成システム。
【請求項２】
前記周辺機器は、
前記第２電圧値及び前記第２電流値を用いて前記周辺機器の総電力値を算出し、出力する第２制御部を更に備え、
前記第１制御部は、前記第１電圧値及び前記第１電流値を用いて前記画像形成装置の総電力値を算出し、前記画像形成装置の総電力値と前記周辺機器の総電力値とを足し合わせて前記画像形成システムの総電力値を算出することを特徴とする請求項１に記載の画像形成システム。
【請求項３】
前記第１制御部は、算出した前記総電力値を報知部に報知させることを特徴とする請求項１又は２に記載の画像形成システム。
【請求項４】
画像形成装置と周辺機器とを備える画像形成システムで実行される電力算出方法であって、
前記画像形成装置は、
第１電圧検出部が、外部から供給される電力の少なくとも電圧を変換する第１電源部の一次側及び二次側のいずれかの側の電圧を検出し、検出した電圧値である第１電圧値を出力する第１電圧検出ステップと、
第１電流検出部が、前記第１電源部の前記いずれかの側の電流を検出し、検出した電流値である第１電流値を出力する第１電流検出部と、を含み、
前記周辺機器は、
第２電圧検出部が、外部から供給される電力の少なくとも電圧を変換する第２電源部の一次側及び二次側のいずれかの側の電圧を検出し、検出した電圧値である第２電圧値を出力する第２電圧検出ステップと、
第２電流検出部が、前記第２電源部の前記いずれかの側の電流を検出し、検出した電流値である第２電流値を出力する第２電流検出部と、を含み、
前記画像形成システムは、
第１制御部が、ジョブが開始してから、当該ジョブにより生成された全ての印刷物の排紙が完了した旨の通知を前記周辺機器から受け付けるまでの間、前記画像形成システムで前記ジョブを処理するのに要する総電力値を、前記第１電圧値、前記第１電流値、前記第２電圧値、及び前記第２電流値に基づいて算出する算出ステップを含むことを特徴とする電力算出方法。
【発明の詳細な説明】
【技術分野】
【０００１】
本発明は、画像形成システム及び電力算出方法に関する。
【背景技術】
【０００２】
従来から、画像形成装置及び周辺機器を備える画像形成システムにおいて、画像形成装置と周辺機器との総電力を算出する技術が知られている。例えば特許文献１には、画像形成装置に増設されるオプションユニットが、動作モード毎に消費電力を消費する度合いを示すステータス情報を有しており、画像形成装置が、オプションユニットからこのステータス情報を受信して、画像形成装置とオプションユニットとの総消費電力を算出する技術が開示されている。
【発明の概要】
【発明が解決しようとする課題】
【０００３】
しかしながら、上述したような従来技術では、周辺機器側の電力を実測しているわけではないので、算出される総電力の精度が悪い場合がある。
【０００４】
本発明は、上記事情に鑑みてなされたものであり、画像形成システムの総電力を精度よく算出することができる画像形成システム及び電力算出方法を提供することを目的とする。
【課題を解決するための手段】
【０００５】
上述した課題を解決し、目的を達成するために、本発明の一態様にかかる画像形成システムは、画像形成装置と周辺機器とを備える画像形成システムであって、前記画像形成装置は、外部から供給される電力の少なくとも電圧を変換する第１電源部の一次側及び二次側のいずれかの側の電圧を検出し、検出した電圧値である第１電圧値を出力する第１電圧検出部と、前記第１電源部の前記いずれかの側の電流を検出し、検出した電流値である第１電流値を出力する第１電流検出部と、を備え、前記周辺機器は、外部から供給される電力の少なくとも電圧を変換する第２電源部の一次側及び二次側のいずれかの側の電圧を検出し、検出した電圧値である第２電圧値を出力する第２電圧検出部と、前記第２電源部の前記いずれかの側の電流を検出し、検出した電流値である第２電流値を出力する第２電流検出部と、を備え、前記画像形成システムは、ジョブが開始してから、当該ジョブにより生成された全ての印刷物の排紙が完了した旨の通知を前記周辺機器から受け付けるまでの間、前記画像形成システムで前記ジョブを処理するのに要する総電力値を、前記第１電圧値、前記第１電流値、前記第２電圧値、及び前記第２電流値に基づいて算出する第１制御部を更に備えることを特徴とする。
【０００６】
また、本発明の別の態様にかかる電力算出方法は、画像形成装置と周辺機器とを備える画像形成システムで実行される電力算出方法であって、前記画像形成装置は、第１電圧検出部が、外部から供給される電力の少なくとも電圧を変換する第１電源部の一次側及び二次側のいずれかの側の電圧を検出し、検出した電圧値である第１電圧値を出力する第１電圧検出ステップと、第１電流検出部が、前記第１電源部の前記いずれかの側の電流を検出し、検出した電流値である第１電流値を出力する第１電流検出部と、を含み、前記周辺機器は、第２電圧検出部が、外部から供給される電力の少なくとも電圧を変換する第２電源部の一次側及び二次側のいずれかの側の電圧を検出し、検出した電圧値である第２電圧値を出力する第２電圧検出ステップと、第２電流検出部が、前記第２電源部の前記いずれかの側の電流を検出し、検出した電流値である第２電流値を出力する第２電流検出部と、を含み、前記画像形成システムは、第１制御部が、ジョブが開始してから、当該ジョブにより生成された全ての印刷物の排紙が完了した旨の通知を前記周辺機器から受け付けるまでの間、前記画像形成システムで前記ジョブを処理するのに要する総電力値を、前記第１電圧値、前記第１電流値、前記第２電圧値、及び前記第２電流値に基づいて算出する算出ステップを含むことを特徴とする。
【発明の効果】
【０００７】
本発明によれば、画像形成システムの総電力を精度よく算出することができるという効果を奏する。
【図面の簡単な説明】
【０００８】
【図１】図１は、第１実施形態の画像形成システムの構成の一例を示すブロック図である。
【図２】図２は、トランス方式で電圧を検出する場合の電圧検出部の構成の一例を示す回路図である。
【図３】図３は、分圧抵抗方式で電圧を検出する場合の電圧検出部の構成の一例を示す回路図である。
【図４】図４は、電流検出ＩＣ方式で電流を検出する場合の電流検出部の構成の一例を示す回路図である。
【図５】図５は、第１実施形態の画像形成システムのデータフローの一例を示す図である。
【図６】図６は、第１実施形態の画像形成システムの総電力値算出処理の一例を示すフローチャートである。
【図７】図７は、第２実施形態の画像形成システムの構成の一例を示すブロック図である。
【図８】図８は、第２実施形態の画像形成システムのデータフローの一例を示す図である。
【図９】図９は、第２実施形態の画像形成システムの総電力値算出処理の一例を示すフローチャートである。
【図１０】図１０は、第３実施形態の画像形成システムの構成の一例を示すブロック図である。
【図１１】図１１は、第３実施形態の画像形成システムの総電力値算出処理の一例を示すフローチャートである。
【図１２】図１２は、第３実施形態の画像形成システムで実行されるジョブの処理に要する総電力の算出処理の一例を示すフローチャートである。
【図１３】図１３は、第３実施形態の画像形成システムで実行されるジョブ終了判定処理の一例を示すフローチャートである。
【図１４】図１４は、変形例１の画像形成装置が分圧抵抗方式で電圧を検出する場合の電圧検出部の構成の一例を示す回路図である。
【図１５】図１５は、変形例１の画像形成システムの画像形成装置が電流検出ＩＣ方式で電流を検出する場合の電流検出部の構成の一例を示す回路図である。
【図１６】図１６は、変形例４の画像形成システムの一例を示す外観図である。
【図１７】図１７は、変形例４のサーバ装置の一例を示すハードウェア構成図である。
【図１８】図１８は、上記各実施形態及び各変形例の画像形成装置のハードウェア構成の一例を示すブロック図である。
【発明を実施するための形態】
【０００９】
以下、添付図面を参照しながら、本発明にかかる画像形成システム及び電力算出方法の実施形態を詳細に説明する。
【００１０】
（第１実施形態）
まず、第１実施形態の画像形成システム１００の構成について説明する。
【００１１】
図１は、第１実施形態の画像形成システム１００の構成の一例を示すブロック図である。図１に示すように、画像形成システム１００は、画像形成装置１１０と、周辺機器１５０とを、備える。画像形成装置１１０と周辺機器１５０とは、オンラインで接続されている。
【００１２】
画像形成装置１１０は、画像を形成して印刷物を生成するものであり、例えば、複合機、複写機、及び印刷機のいずれかなどが該当する。なお複合機とは、複写機能、印刷機能、スキャナ機能、及びファクシミリ機能のうち少なくとも２つの機能を有する装置である。画像形成装置１１０は、図１に示すように、ＡＣ電源コード１１２と、電源部１１４と、負荷１１６と、電圧検出部１２０と、電流検出部１３０と、制御部１４０と、オペレーションパネル１４５とを、備える。
【００１３】
ＡＣ電源コード１１２は、商用（ＡＣ）電源などの外部の電力源から画像形成装置１１０（電源部１１４）に電力（ＡＣ電源）を供給する。
【００１４】
電源部１１４は、ＡＣ電源コード１１２を介して供給された電力の電圧や周波数などを変換することにより、画像形成装置１１０に適した形式の電力（ＤＣ電源）に変換する。
【００１５】
負荷１１６は、例えば、作像機構、転写機構、及び搬送機構などの画像形成に関する負荷であり、電源部１１４により変換された電力を消費する。
【００１６】
電圧検出部１２０は、電源部１１４の二次側（ＤＣ側）の電圧を検出し、検出した電圧値（アナログ値）を出力する。電圧検出部１２０は、例えば、トランス方式や分圧抵抗方式などにより、電圧を検出する。なお電圧検出部１２０は、電源部１１４の二次側の電圧を常時検出しており、検出した電圧値を制御部１４０に常時出力している。
【００１７】
図２は、トランス方式で電圧を検出する場合の電圧検出部１２０の構成の一例を示す回路図である。図２に示すように、トランス方式で電圧を検出する場合、電圧検出部１２０は、トランス１２１と、ダイオードブリッジ１２２と、ＬＰＦ（Low  Pass  filter）１２３とを、備える。電圧検出部１２０は、電源部１１４により変換された電力を、トランス１２１で降圧し、ダイオードブリッジ１２２で全波整流し、ＬＰＦ１２３で平滑出力する。これにより、電圧検出部１２０は、電源部１１４の二次側の電圧値を出力する。
【００１８】
図３は、分圧抵抗方式で電圧を検出する場合の電圧検出部１２０の構成の一例を示す回路図である。図３に示すように、分圧抵抗方式で電圧を検出する場合、電圧検出部１２０は、分圧抵抗１２４、１２５を、備える。電圧検出部１２０は、電源部１１４により変換された電力を、分圧抵抗１２４、１２５で制御部１４０の入力定格内に降圧する。これにより、電圧検出部１２０は、電源部１１４の二次側の電圧値を出力する。
【００１９】
電流検出部１３０は、電源部１１４の二次側（ＤＣ側）の電流を検出し、検出した電流値（アナログ値）を出力する。電流検出部１３０は、例えば、電流検出ＩＣ（Integrated  Circuit）方式などにより、電流を検出する。なお電流検出部１３０は、電源部１１４の二次側の電流を常時検出しており、検出した電流値を制御部１４０に常時出力している。
【００２０】
図４は、電流検出ＩＣ方式で電流を検出する場合の電流検出部１３０の構成の一例を示す回路図である。図４に示すように、電流検出ＩＣ方式で電流を検出する場合、電流検出部１３０は、電源部１１４と負荷１１６との間に挿入された微小抵抗１３１と、電流検出ＩＣ１３２とを、備える。電流検出部１３０は、電源部１１４により変換された電力を、微小抵抗１３１で電圧降下し、電流検出ＩＣ１３２で電流値を検出する。これにより、電流検出部１３０は、電源部１１４の二次側の電流値を出力する。
【００２１】
ここで、周辺機器１５０について説明する。周辺機器１５０は、例えば、後処理装置が該当し、画像形成装置１１０により生成された印刷物に、ステープル処理、パンチ処理、及び折り処理などの後処理を施す。但し、周辺機器１５０は、後処理装置に限定されるものではなく、画像形成装置１１０と連携するものであれば、どのような機器であってもよい。周辺機器１５０は、図１に示すように、ＡＣ電源コード１５２と、電源部１５４と、負荷１５６と、電圧検出部１６０と、電流検出部１７０とを、備える。
【００２２】
ＡＣ電源コード１５２は、商用電源などの外部の電力源から周辺機器１５０（電源部１５４）に電力（ＡＣ電源）を供給する。
【００２３】
電源部１５４は、ＡＣ電源コード１５２を介して供給された電力の電圧や周波数などを変換することにより、周辺機器１５０に適した形式の電力（ＤＣ電源）に変換する。
【００２４】
負荷１５６は、例えば、ステープル機構、パンチ処理、折り機構、及び搬送機構などの後処理に関する負荷であり、電源部１５４により変換された電力を消費する。
【００２５】
電圧検出部１６０は、電源部１５４の二次側（ＤＣ側）の電圧を検出し、検出した電圧値（アナログ値）を出力する。電圧検出部１６０は、電圧検出部１２０同様、トランス方式や分圧抵抗方式などにより、電圧を検出する。電圧検出部１６０は、電源部１５４の二次側の電圧を常時検出しており、検出した電圧値を画像形成装置１１０（制御部１４０）に常時出力している。
【００２６】
電流検出部１７０は、電源部１５４の二次側（ＤＣ側）の電流を検出し、検出した電流値（アナログ値）を出力する。電流検出部１７０は、電流検出部１３０同様、電流検出ＩＣ（Integrated  Circuit）方式などにより、電流を検出する。電流検出部１７０は、電源部１５４の二次側の電流を常時検出しており、検出した電流値を画像形成装置１１０（制御部１４０）に常時出力している。
【００２７】
ここで、画像形成装置１１０に説明を戻す。
【００２８】
制御部１４０は、画像形成装置１１０の各部を制御するものであり、例えば、ＣＰＵ（Central  Processing  Unit）、ＲＯＭ（Read  Only  Memory）、及びＲＡＭ（Random  Access  Memory）などにより実現できる。制御部１４０は、電圧検出部１２０により出力された電圧値、電流検出部１３０により出力された電流値、電圧検出部１６０により出力された電圧値、及び電流検出部１７０により出力された電流値に基づいて、画像形成システム１００の総電力値（デジタル値）を算出する。そして制御部１４０は、算出した画像形成システム１００の総電力値をオペレーションパネル１４５に報知させる。
【００２９】
なお制御部１４０は、電圧検出部１２０により出力された電圧値、電流検出部１３０により出力された電流値、電圧検出部１６０により出力された電圧値、及び電流検出部１７０により出力された電流値を非常に短い周期（例えば、１ｍｓ）で読み込み、この読み込んだ電圧値及び電流値を用いて画像形成システム１００の総電力値を算出する。このため、制御部１４０は、画像形成システム１００の総電力をリアルタイムに算出し、オペレーションパネル１４５にリアルタイムに報知させる。また本実施形態では、制御部１４０は、画像形成システム１００のアイドリング中も含めて画像形成システム１００の総電力値を常時算出するものとする。
【００３０】
オペレーションパネル１４５は、画像形成装置１１０（画像形成システム１００）に対して各種操作の入力を行ったり、各種画面を表示したりする操作表示部である。オペレーションパネル１４５は、制御部１４０からの指示を受け、画像形成システム１００の総電力値を画面表示する。
【００３１】
図５は、第１実施形態の画像形成システム１００のデータフローの一例を示す図である。図５に示すように、電圧検出部１２０は、検出した電圧値Ｖ１を制御部１４０に出力し、電流検出部１３０は、検出した電流値Ｉ１を制御部１４０に出力し、電圧検出部１６０は、検出した電圧値Ｖ２を制御部１４０に出力し、電流検出部１７０は、検出した電流値Ｉ２を制御部１４０に出力する。制御部１４０は、電圧値Ｖ１、電流値Ｉ１、電圧値Ｖ２、及び電流値Ｉ２を読み込み、画像形成システム１００の総電力値を算出する。具体的には、制御部１４０は、数式（１）により画像形成システム１００の総電力値Ｗを算出する。
【００３２】
Ｗ＝Ｖ１×Ｉ１＋Ｖ２×Ｉ２      …（１）
【００３３】
つまり制御部１４０は、画像形成装置１１０の総電力値を算出するとともに周辺機器１５０の総電力値を算出し、算出した画像形成装置１１０の総電力値と周辺機器１５０の総電力値とを足し合わせて、画像形成システム１００の総電力値Ｗを算出する。そして制御部１４０は、算出した総電力値Ｗをオペレーションパネル１４５に報知させる。
【００３４】
図６は、第１実施形態の画像形成システム１００の総電力値算出処理の一例を示すフローチャートである。図６のフローチャートに示す処理は、例えば、１ｍｓなどの非常に短い周期で常時実行されているものとする。
【００３５】
まず、制御部１４０は、電圧検出部１２０により出力された電圧値、電流検出部１３０により出力された電流値、電圧検出部１６０により出力された電圧値、及び電流検出部１７０により出力された電流値を用いて、画像形成システム１００の総電力値を算出する（ステップＳ１００）。
【００３６】
続いて、制御部１４０は、算出した画像形成システム１００の総電力値をオペレーションパネル１４５に報知させる（ステップＳ１０２）。
【００３７】
以上のように第１実施形態によれば、画像形成装置の総電力だけでなく周辺機器の総電力も実測しているため、画像形成システムの総電力を精度よく算出することができる。また第１実施形態では、画像形成システムの総電力を非常に短い周期で算出しているので、画像形成システムの総電力をリアルタイムに算出することができる。算出した画像形成システムの総電力は、例えば、二酸化炭素排出量の算出やユーザへの省エネ喚起などに使用できる。
【００３８】
（第２実施形態）
第２実施形態では、周辺機器が自身の総電力値を算出し、算出した総電力値を画像形成装置に出力する例について説明する。なお以下では、第１実施形態との相違点の説明を主に行い、第１実施形態と同様の機能を有する構成要素については、第１実施形態と同様の名称・符号を付し、その説明を省略する。
【００３９】
図７は、第２実施形態の画像形成システム２００の構成の一例を示すブロック図である。図７に示すように、第２実施形態では、周辺機器２５０が制御部２８０を含む点、及び画像形成装置２１０の制御部２４０の処理内容が第１実施形態と相違する。
【００４０】
制御部２８０は、周辺機器２５０の各部を制御するものであり、例えば、ＣＰＵ、ＲＯＭ、及びＲＡＭなどにより実現できる。制御部２８０は、電圧検出部１６０により出力された電圧値及び電流検出部１７０により出力された電流値から、周辺機器２５０の総電力値（デジタル値）を算出する。そして制御部１４０は、周辺機器２５０の総電力値を画像形成装置２１０（制御部２４０）へ出力する。
【００４１】
なお制御部２８０は、電圧検出部１６０により出力された電圧値及び電流検出部１７０により出力された電流値を非常に短い周期（例えば、１ｍｓ）で読み込み、この読み込んだ電圧値及び電流値を用いて周辺機器２５０の総電力値を算出する。このため、制御部２８０は、周辺機器２５０の総電力値をリアルタイムに算出し、画像形成装置２１０にリアルタイムに出力する。
【００４２】
制御部２４０は、電圧検出部１２０により出力された電圧値及び電流検出部１３０により出力された電流値から、画像形成装置２１０の総電力値（デジタル値）を算出し、周辺機器２５０の総電力値と合算して、画像形成システム２００の総電力値を算出する。
【００４３】
図８は、第２実施形態の画像形成システム２００のデータフローの一例を示す図である。図８に示すように、電圧検出部１２０は、検出した電圧値Ｖ１を制御部２４０に出力し、電流検出部１３０は、検出した電流値Ｉ１を制御部２４０に出力する。また、電圧検出部１６０は、検出した電圧値Ｖ２を制御部２８０に出力し、電流検出部１７０は、検出した電流値Ｉ２を制御部２８０に出力する。制御部２８０は、電圧値Ｖ２及び電流値Ｉ２を読み込み、周辺機器２５０の総電力値Ｗ２（＝Ｖ２×Ｉ２）を算出し、算出した周辺機器２５０の総電力値Ｗ２を画像形成装置２１０へ出力する。制御部２４０は、電圧値Ｖ１、電流値Ｉ１、及び総電力値Ｗ２を読み込み、電圧値Ｖ１及び電流値Ｉ１から画像形成装置２１０の総電力値Ｗ１（＝Ｖ１×Ｉ１）を算出し、周辺機器２５０の総電力値Ｗ２と足し合わせて、画像形成システム２００の総電力値Ｗ（＝Ｗ１＋Ｗ２）を算出する。そして制御部２４０は、総電力値Ｗをオペレーションパネル１４５に報知させる。
【００４４】
図９は、第２実施形態の画像形成システム２００の総電力値算出処理の一例を示すフローチャートである。図９のフローチャートに示す処理は、例えば、１ｍｓなどの非常に短い周期で常時実行されているものとする。
【００４５】
まず、制御部２８０は、電圧検出部１６０により出力された電圧値及び電流検出部１７０により出力された電流値を用いて、周辺機器２５０の総電力値を算出する（ステップＳ２００）。
【００４６】
続いて、制御部２４０は、電圧検出部１２０により出力された電圧値及び電流検出部１３０により出力された電流値を用いて、画像形成装置２１０の総電力値を算出する（ステップＳ２０２）。
【００４７】
続いて、制御部２４０は、周辺機器２５０の総電力値と画像形成装置２１０の総電力値とを足し合わせて、画像形成システム２００の総電力値を算出する（ステップＳ２０４）。
【００４８】
続いて、制御部２４０は、算出した画像形成システム２００の総電力値をオペレーションパネル１４５に報知させる（ステップＳ２０６）。
【００４９】
以上のように第２実施形態によれば、周辺機器から画像形成装置へアナログ値ではなくデジタル値を出力しているため、画像形成システムの総電力をより精度よく算出することができる。
【００５０】
（第３実施形態）
第３実施形態では、画像形成システムで処理するジョブの総電力値を算出する例について説明する。なお以下では、第１実施形態との相違点の説明を主に行い、第１実施形態と同様の機能を有する構成要素については、第１実施形態と同様の名称・符号を付し、その説明を省略する。
【００５１】
図１０は、第３実施形態の画像形成システム３００の構成の一例を示すブロック図である。図１０に示すように、第３実施形態では、周辺機器３５０が制御部３８０を含む点、及び画像形成装置３１０の制御部３４０の処理内容が第１実施形態と相違する。
【００５２】
制御部３４０は、ジョブが開始してから当該ジョブが終了するまでの間に、電圧検出部１２０により出力された電圧値、電流検出部１３０により出力された電流値、電圧検出部１６０により出力された電圧値、及び電流検出部１７０により出力された電流値に基づいて、画像形成システム３００で当該ジョブを処理するのに要する総電力値を算出する。なお制御部３４０は、ジョブを実行することにより、負荷１１６に画像形成を実行させて印刷物を生成し、周辺機器３５０へ排紙する。また制御部３４０は、周辺機器３５０から、ジョブにより生成された全ての印刷物の排紙が完了した旨の通知を受け付けると、当該ジョブが終了したと判断する。
【００５３】
制御部３８０は、周辺機器３５０の各部を制御するものであり、例えば、ＣＰＵ、ＲＯＭ、及びＲＡＭなどにより実現できる。制御部３８０は、制御部３４０によりジョブが実行されると、画像形成装置３１０で生成された印刷物に対する後処理を負荷１５６に施させ、外部へ排紙させる。そして制御部３８０は、周辺機器３５０内の印刷物が全て排紙されると、排紙が完了した旨を画像形成装置３１０へ通知する。なお、周辺機器３５０内部からの印刷物の排紙は、負荷１５６により検知される。
【００５４】
図１１は、第３実施形態の画像形成システム３００の総電力値算出処理の一例を示すフローチャートである。図１１のフローチャートに示す処理は、例えば、１ｍｓなどの非常に短い周期で常時実行されているものとする。
【００５５】
まず、制御部３４０は、画像形成システム３００の総電力値を算出する前に、第１タイマのカウントを開始する（ステップＳ３００）。
【００５６】
続いて、制御部３４０は、電圧検出部１２０により出力された電圧値、電流検出部１３０により出力された電流値、電圧検出部１６０により出力された電圧値、及び電流検出部１７０により出力された電流値を用いて、画像形成システム３００の総電力値を算出する（ステップＳ３０２）。
【００５７】
続いて、制御部３４０は、画像形成システム３００の総電力値を算出すると、第１タイマのカウントを停止する（ステップＳ３０４）。
【００５８】
続いて、制御部３４０は、画像形成システム３００の総電力値と第１タイマのカウント値とを乗じた値を、ＲＡＭなどに記憶されている総電力積算値に積算し、総電力積算値を更新する（ステップＳ３０６）。つまり、総電力積算値は、画像形成システム３００の総電力値の累計を示す。
【００５９】
図１２は、第３実施形態の画像形成システム３００で実行されるジョブの処理に要する総電力の算出処理の一例を示すフローチャートである。図１２のフローチャートに示す処理は、図１１のフローチャートに示す処理よりも長い周期（例えば、６０ｍｓ）で実行されているものとする。
【００６０】
まず、制御部３４０は、ジョブの開始を待機し（ステップＳ４００でＮｏ）、ジョブを開始すると（ステップＳ４００でＹｅｓ）、第２タイマのカウントを開始する（ステップＳ４０２）。
【００６１】
続いて、制御部３４０は、ジョブ開始時の総電力積算値をＲＡＭから取得する（ステップＳ４０４）。
【００６２】
続いて、制御部３４０は、ジョブが終了したと判定されるまで、ジョブ終了判定処理を繰り返し（ステップＳ４０６、ステップＳ４０８でＮｏ）、ジョブが終了したと判定されると（ステップＳ４０８でＹｅｓ）、ジョブ終了時の総電力積算値をＲＡＭから取得する（ステップＳ４１０）。なお、ジョブ終了判定処理の詳細については、後述する。
【００６３】
続いて、制御部３４０は、ジョブが終了すると、第２タイマのカウントを停止する（ステップＳ４１２）。
【００６４】
続いて、制御部３４０は、ジョブ開始時の総電力積算値とジョブ終了時の総電力積算値との差分値を算出する（ステップＳ４１４）。
【００６５】
続いて、制御部３４０は、差分値と第２タイマのカウント値とから、１時間当たりのジョブの総電力値を算出する（ステップＳ４１６）。
【００６６】
続いて、制御部３４０は、算出したジョブの総電力値をオペレーションパネル１４５に報知させる（ステップＳ４１８）。
【００６７】
図１３は、第３実施形態の画像形成システム３００で実行されるジョブ終了判定処理の一例を示すフローチャートである。
【００６８】
まず、制御部３４０は、ジョブを実行することにより生成された印刷物が画像形成装置３００から全て排紙されたか否かを確認する（ステップＳ５００）。
【００６９】
画像形成装置３００から全て排紙されている場合（ステップＳ５００でＹｅｓ）、制御部３４０は、周辺機器３５０から、ジョブにより生成された全ての印刷物の排紙が完了した旨の通知を受け付けたか否かを確認することにより、周辺機器３５０内に印刷物が残っているか否かを確認する（ステップＳ５０２）。
【００７０】
周辺機器３５０内に印刷物が残っていない場合（ステップＳ５０２でＹｅｓ）、制御部３４０は、ジョブが終了したと判定する（ステップＳ５０４）。一方、画像形成装置３００から印刷物が全て排紙されていない場合（ステップＳ５００でＮｏ）、又は周辺機器３５０内に印刷物が残っている場合（ステップＳ５０２でＮｏ）、ジョブが継続していると判定する（ステップＳ５０６）。
【００７１】
以上のように第３実施形態によれば、画像形成システムでジョブを処理するのに要する総電力を精度よく算出することができる。
【００７２】
（変形例）
なお、本発明は、上記実施形態に限定されるものではなく、種々の変形が可能である。
【００７３】
（変形例１）
上記第１実施形態では、画像形成装置１１０の電源部１１４の二次側の電圧及び電流を検出する例について説明したが、電源部１１４の一次側（ＡＣ側）の電圧及び電流を検出するようにしてもよい。
【００７４】
図１４は、変形例１の画像形成システム４００の画像形成装置４１０が分圧抵抗方式で電圧を検出する場合の電圧検出部４２０の構成の一例を示す回路図である。図１４に示すように、電圧検出部４２０は、分圧抵抗４２４、４２５を、備える。電圧検出部４２０は、ＡＣ電源などの外部の電力源から供給された電力を、分圧抵抗４２４、４２５で制御部１４０の入力定格内に降圧する。これにより、電圧検出部４２０は、電源部１１４（図示省略）の一次側の電圧値を出力する。
【００７５】
図１５は、変形例１の画像形成システム４００の画像形成装置４１０が電流検出ＩＣ方式で電流を検出する場合の電流検出部４３０の構成の一例を示す回路図である。図１５に示すように、電流検出ＩＣ方式で電流を検出する場合、電流検出部４３０は、微小抵抗４３１と、電流検出ＩＣ４３２とを、備える。電流検出部４３０は、ＡＣ電源などの外部の電力源から供給された電力を、微小抵抗４３１で電圧降下し、電流検出ＩＣ４３２で電流値を検出する。これにより、電流検出部４３０は、電源部１１４（図示省略）の一次側の電流値を出力する。
【００７６】
なお第２、３実施形態においても、上記と同様に、電源部１１４の一次側の電圧及び電流を検出するように変形してもよい。また、詳細な説明は省略するが、第１〜３実施形態の周辺機器についても、同様に、電源部１５４の一次側の電圧及び電流を検出するようにしてもよい。
【００７７】
（変形例２）
上記各実施形態では、周辺機器の台数が１台である場合を例に取り説明したが、周辺機器の台数は複数台であってもよい。
【００７８】
（変形例３）
また例えば、上記第２実施形態と上記第３実施形態とを組み合わせるようにしてもよい。
【００７９】
（変形例４）
また例えば、上記各実施形態において、画像形成システムは、サーバ装置を備え、サーバ装置が画像形成システムの総電力値（デジタル値）を算出するようにしてもよい。
【００８０】
図１６は、変形例４の画像形成システム５００の一例を示す外観図である。画像形成システム５００は、プロダクションプリンティング機であり、サーバ装置５２０を備える。画像形成システム５００は、画像形成装置５１０に、給紙を行う大容量給紙ユニット５０２、表紙等の利用に使われるインサータ５０３、折りを行う折りユニット５０４、ステープルやパンチなどを行うフィニッシャー５０５、及び裁断を行う断裁機５０６などの周辺機が用途に合わせて組み合わされる。なお上記各実施形態の周辺機器は、大容量給紙ユニット５０２、インサータ５０３、及び折りユニット５０４が該当するが、これに限定されるものではない。
【００８１】
図１７は、変形例４のサーバ装置５２０の一例を示すハードウェア構成図である。図１７に示すように、サーバ装置５２０は、通信Ｉ／Ｆ部５３０と、記憶部５４０（ＨＤＤ５４２、ＲＯＭ５４４、ＲＡＭ５４６）と、画像処理部５５０と、ＣＰＵ５９０と、Ｉ／Ｆ部５２０とを備え、それぞれがバスＢ２で相互に接続されている。図１７の例では、サーバ装置５２０は専用線６００を介して画像形成装置５１０と接続される。
【００８２】
図１７に示すように、画像形成装置５１０は、Ｉ／Ｆ部６１０と、印刷部６０２と、操作表示部６６０と、その他Ｉ／Ｆ部６７０と、電流検出部や電圧検出部などの測定部６８０とを備え、それぞれがバスＢ３で接続されている。Ｉ／Ｆ部６１０は、画像形成装置５１０をサーバ装置５２０に接続するための手段であり、Ｉ／Ｆ部６１０には専用線６００が接続される。画像形成装置５１０は、サーバ装置５２０のＣＰＵ５９０の制御の下、印刷ジョブを実行する。
【００８３】
また、サーバ装置５２０に搭載されたＣＰＵ５９０が、上述の各実施形態の画像形成装置の制御部が実行している処理を実行する。
【００８４】
（ハードウェア構成）
図１８は、上記各実施形態及び各変形例の画像形成装置のハードウェア構成の一例を示すブロック図である。図１８に示すように、上記各実施形態及び各変形例の画像形成装置は、コントローラ９１０とエンジン部（Engine）９６０とをＰＣＩ（Peripheral  Component  Interconnect）バスで接続した構成となる。コントローラ９１０は、画像形成装置全体の制御、描画、通信、及び操作表示部９２０からの入力を制御するコントローラである。エンジン部９６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部９６０には、プロッタなどのいわゆるエンジン部分に加えて、誤差拡散やガンマ変換などの画像処理部分が含まれる。
【００８５】
コントローラ９１０は、ＣＰＵ９１１と、ノースブリッジ（ＮＢ）９１３と、システムメモリ（ＭＥＭ−Ｐ）９１２と、サウスブリッジ（ＳＢ）９１４と、ローカルメモリ（ＭＥＭ−Ｃ）９１７と、ＡＳＩＣ（Application  Specific  Integrated  Circuit）９１６と、ハードディスクドライブ（ＨＤＤ）９１８とを有し、ノースブリッジ（ＮＢ）９１３とＡＳＩＣ９１６との間をＡＧＰ（Accelerated  Graphics  Port）バス９１５で接続した構成となる。また、ＭＥＭ−Ｐ９１２は、ＲＯＭ９１２ａと、ＲＡＭ９１２ｂとをさらに有する。
【００８６】
ＣＰＵ９１１は、画像形成装置の全体制御をおこなうものであり、ＮＢ９１３、ＭＥＭ−Ｐ９１２およびＳＢ９１４からなるチップセットを有し、このチップセットを介して他の機器と接続される。
【００８７】
ＮＢ９１３は、ＣＰＵ９１１とＭＥＭ−Ｐ９１２、ＳＢ９１４、ＡＧＰバス９１５とを接続するためのブリッジであり、ＭＥＭ−Ｐ９１２に対する読み書きなどを制御するメモリコントローラと、ＰＣＩマスタおよびＡＧＰターゲットとを有する。
【００８８】
ＭＥＭ−Ｐ９１２は、プログラムやデータの格納用メモリ、プログラムやデータの展開用メモリ、プリンタの描画用メモリなどとして用いるシステムメモリであり、ＲＯＭ９１２ａとＲＡＭ９１２ｂとからなる。ＲＯＭ９１２ａは、プログラムやデータの格納用メモリとして用いる読み出し専用のメモリであり、ＲＡＭ９１２ｂは、プログラムやデータの展開用メモリ、プリンタの描画用メモリなどとして用いる書き込みおよび読み出し可能なメモリである。
【００８９】
ＳＢ９１４は、ＮＢ９１３とＰＣＩデバイス、周辺デバイスとを接続するためのブリッジである。このＳＢ９１４は、ＰＣＩバスを介してＮＢ９１３と接続されており、このＰＣＩバスには、ネットワークインタフェース（Ｉ／Ｆ）部なども接続される。
【００９０】
ＡＳＩＣ９１６は、画像処理用のハードウェア要素を有する画像処理用途向けのＩＣ（Integrated  Circuit）であり、ＡＧＰバス９１５、ＰＣＩバス、ＨＤＤ９１８およびＭＥＭ−Ｃ９１７をそれぞれ接続するブリッジの役割を有する。このＡＳＩＣ９１６は、ＰＣＩターゲットおよびＡＧＰマスタと、ＡＳＩＣ９１６の中核をなすアービタ（ＡＲＢ）と、ＭＥＭ−Ｃ９１７を制御するメモリコントローラと、ハードウェアロジックなどにより画像データの回転などをおこなう複数のＤＭＡＣ（Direct  Memory  Access  Controller）と、エンジン部９６０との間でＰＣＩバスを介したデータ転送をおこなうＰＣＩユニットとからなる。このＡＳＩＣ９１６には、ＰＣＩバスを介してＦＣＵ（Fax  Control  Unit）９３０、ＵＳＢ（Universal  Serial  Bus）９４０、ＩＥＥＥ１３９４（the  Institute  of  Electrical  and  Electronics  Engineers  1394）インタフェース９５０が接続される。操作表示部９２０はＡＳＩＣ９１６に直接接続されている。
【００９１】
ＭＥＭ−Ｃ９１７は、コピー用画像バッファ、符号バッファとして用いるローカルメモリであり、ＨＤＤ９１８は、画像データの蓄積、プログラムの蓄積、フォントデータの蓄積、フォームの蓄積を行うためのストレージである。
【００９２】
ＡＧＰバス９１５は、グラフィック処理を高速化するために提案されたグラフィックスアクセラレーターカード用のバスインターフェースであり、ＭＥＭ−Ｐ９１２に高スループットで直接アクセスすることにより、グラフィックスアクセラレーターカードを高速にするものである。
【符号の説明】
【００９３】
１００、２００、３００、４００、５００  画像形成システム
１１０、２１０、３１０、４１０、５１０  画像形成装置
１１２  ＡＣ電源コード
１１４  電源部
１１６  負荷
１２０、４２０  電圧検出部
１２１  トランス
１２２  ダイオードブリッジ
１２３  ＬＰＦ
１２４、１２５、４２４、４２５  分圧抵抗
１３０、４３０  電流検出部
１３１、４３１  微小抵抗
１３２、４３２  電流検出ＩＣ
１４０、２４０、３４０  制御部
１４５  オペレーションパネル
１５０、２５０、３５０  周辺機器
１５２  ＡＣ電源コード
１５４  電源部
１５６  負荷
１６０  電圧検出部
１７０  電流検出部
２８０、３８０  制御部
５０２  大容量給紙ユニット
５０３  インサータ
５０４  折りユニット
５０５  フィニッシャー
５０６  断裁機
５２０  サーバ装置
５３０  通信Ｉ／Ｆ部
５４０  記憶部
５４２  ＨＤＤ
５４４  ＲＯＭ
５４６  ＲＡＭ
５５０  画像処理部
５６０  Ｉ／Ｆ部
５９０  ＣＰＵ
６００  専用線
６０２  印刷部
６１０  Ｉ／Ｆ部
６６０  操作表示部
６７０  その他Ｉ／Ｆ部
６８０  測定部
Ｂ２  バス
Ｂ３  バス
【先行技術文献】
【特許文献】
【００９４】
【特許文献１】特開２００３−８０８０４号公報
【図１】
0005853519.tif 000002
【図２】
0005853519.tif 000003
【図３】
0005853519.tif 000004
【図４】
0005853519.tif 000005
【図５】
0005853519.tif 000006
【図６】
0005853519.tif 000007
【図７】
0005853519.tif 000008
【図８】
0005853519.tif 000009
【図９】
0005853519.tif 000010
【図１０】
0005853519.tif 000011
【図１１】
0005853519.tif 000012
【図１２】
0005853519.tif 000013
【図１３】
0005853519.tif 000014
【図１４】
0005853519.tif 000015
【図１５】
0005853519.tif 000016
【図１６】
0005853519.tif 000017
【図１７】
0005853519.tif 000018
【図１８】
0005853519.tif 000019